(57)【要約】【課題】携帯情報端末機を腕部に装着した状態で容易に操作することができる携帯情報端末機携行保持具の提供を図る。【解決手段】携帯情報端末機Ｋを収納する保護ケース体２０と、該保護ケース体２０を保持する固定バンド３０と、で構成される携帯情報端末機携行保持具１０であって、前記保護ケース体２０は、開閉ならびに着脱自在に設けられる透明板で形成される保護カバー２１と、前記固定バンド３０に回転自在に連結される回転連結部２２と、該回転連結部２２をスライドさせるスライド連結部２４と、を有して成り、前記固定バンド３０は、前記スライド連結部２４を連結するスライド受部３１を形成し、両端が互いに締め付け固定される締付け固定部３３を有して成り、前記携帯情報端末機Ｋを前記保護ケース体２０に収納した状態で回転ならびにスライドさせて使用する手段を採る。【選択図】図１
2014023141.tif 000002
【特許請求の範囲】
【請求項１】
携帯情報端末機を収納する保護ケース体と、該保護ケース体を保持する固定バンドと、で構成される携帯情報端末機携行保持具であって、
前記保護ケース体は、
開閉ならびに着脱自在に設けられる透明板で形成される保護カバーと、
前記固定バンドに回転自在に連結される回転連結部と、
該回転連結部をスライドさせるスライド連結部と、を有して成り、
前記固定バンドは、
前記スライド連結部を連結するスライド受部を形成し、
両端が互いに締め付け固定される締付け固定部を有して成り、
前記携帯情報端末機を前記保護ケース体に収納した状態で回転ならびにスライドさせて使用することを特徴とする携帯情報端末機携行保持具。
【発明の詳細な説明】
【技術分野】
【０００１】  本発明は、携帯情報端末機を腕部に装着した状態で容易に操作することができる携帯情報端末機携行保持具に関する。
【背景技術】
【０００２】  現在、飛躍的に普及しているスマートフォンは、通話やメール通信の他にＰＤＡなどのパソコン機能が付いた多機能携帯電話であるため、個人情報や機密情報がメモリー保存されていることによって置き忘れや落下破損による記憶データの消失リスクを伴うものであり、さらにポケットやバッグ等に収納して携帯する場合は、不意の着信に対応が遅くれたり、着信に気付かなかったりする状況がしばしば起きがちであった。【０００３】  また、現在普及しているスマートフォンの多くは、タッチパネル方式を採用しているため、片方の手でスマートフォンを保持し、もう片方の手でタッチパネルを操作することから、通信ならびに操作時は両方の手を使うことが必然となり、その結果ハンズフリーの通話が不可能となることによって、通話と同時に車両の運転や両手を使った作業ができないことから、ハンズフリー通話を可能にする多種多様な携帯情報端末機の装着具の提供がなされている。【０００４】  例えば、使用者の腕に固定可能で、しかもハンドヘルドデバイスを安定的に装置可能な携行装置で、基板、束帯、透明フィルムにより構成する。該基板と該透明フィルムの間は該帯状物により連結し、両者の間には高度差を形成し、これによりハンドヘルドデバイスを装置することができる。該各帯状物は該透明フィルム上に固設し、しかも該各帯状物上にはループ状装置を設置し、該基板上にはマジックテープ（登録商標）装置を対応設置する。該ループ状装置と該マジックテープ（登録商標）装置の粘着接合により、該透明フィルムと該基板は結合する。該束帯は該基板を貫通し結合し、しかも環状を形成し、腕に固定することができることを特徴とする「ハンドヘルドデバイスの携行装置」（特許文献１）が提案されている。【０００５】  しかしながら、かかる「ハンドヘルドデバイスの携行装置」の提案は、ハンドヘルドデバイスを束帯によって腕部に単純に固定する構造であることから、ハンドヘルドデバイスの入力作業やワンセグ画面を見る時にハンドヘルドデバイスの画面の方向を転換することができないものであり、さらに使用若しくは画面を見る時に腕部の方向を見易い角度に合せなくてはならない不便さを有するものであった。【０００６】  また、携帯電話の裏面側に介在材料を介して取り付けた第１部材と、取付対象（例えば、人体）側に介在材料を介して取り付けた第２部材とからなる。前記第１部材と前記第２部材の少なくとも一方は永久磁石であり、他方はこの永久磁石と引き合う性質を有するものである。前記第１部材と前記第２部材の表面のいずれかに小突起を設け、他方の表面にこの小突起と嵌合するくぼみを設けたことを特徴とする「携帯電話の装着具」（特許文献２）が提案されている。【０００７】  しかしながら、かかる「携帯電話の装着具」の提案は、永久磁石で形成される第１部材と第２部材の表面のいずれかに小突起を設け、他方の表面にこの小突起と嵌合するくぼみを設けて回転ならびに着脱自在とする携帯電話の装着具であるが、使用時において、腕部と直交する角度に設定した場合、携帯電話の下端が机などの机上面に接触するなどの使い勝手が悪いものであり、さらにその状態で使用し続けることは身体的疲労が伴うものであった。【０００８】  ���た、Ｃ形の形状したアルミ又はプラスチックのフレームに心材が、ゴムからなる、外周部を弾力性の布生地で覆ったリングとフレームをリベット又は、ビスとナットにより固定した、腕又は手首装着用として、携帯電話器を半固定したことを特徴とする「携帯電話器を腕に半固定する装着具」（特許文献３）が提案されている。【０００９】  しかしながら、かかる「携帯電話の装着具」の提案は、携帯電話を布生地で覆ったリングとビスとナットにより固定したフレームでスライド可能に半固定した携帯電話の装着具であるが、スライド可能にすることによって、携帯電話は容易に着脱可能となるが、使用時において、携帯電話を縦ならびに横向きに変更することができないため使い勝手が悪いものであり、さらにその状態で使用し続けることは上記提案と同様に身体的疲労が伴うものであった。【００１０】  以上のように従来の携帯情報端末機の装着具の多くは、使用者の使用状態に対応した携帯電話の装着状態が維持されない構造を有するものであった。【００１１】  本出願人は、以上のような従来の携帯情報端末機の装着具の現状を鑑み、携帯情報端末機の携行手段と保持する方向に着目し、携帯情報端末機を使用者の腕部に装着したハンズフリーの状態で容易に操作することができないものかという着想下、携帯情報端末機を保護ケース体に収納した状態で回転ならびにスライドさせて使用することができる携帯情報端末機用の携行保持具を開発し、本発明における「携帯情報端末機携行保持具」の提案に至るものである。
【先行技術文献】
【特許文献】
【００１２】
【特許文献１】実用新案登録第３１４５０４０号公報
【特許文献２】実用新案登録第３０７８８５２号公報
【特許文献３】特開２００８−１７３４１７号公報
【発明の概要】
【発明が解決しようとする課題】
【００１３】  本発明は、上記問題点に鑑み、携帯情報端末機を腕部に装着した状態で容易に操作することができる携帯情報端末機携行保持具の提供を図る。
【課題を解決するための手段】
【００１４】  本発明の携帯情報端末機携行保持具は、携帯情報端末機を収納する保護ケース体と、該保護ケース体を保持する固定バンドと、で構成される携帯情報端末機携行保持具であって、前記保護ケース体は、開閉ならびに着脱自在に設けられる透明板で形成される保護カバーと、前記固定バンドに回転自在に連結される回転連結部と、該回転連結部をスライドさせるスライド連結部と、を有して成り、前記固定バンドは、前記スライド連結部を連結するスライド受部を形成し、両端が互いに締め付け固定される締付け固定部を有して成り、前記携帯情報端末機を前記保護ケース体に収納した状態で回転ならびにスライドさせて使用する手段を採る。
【発明の効果】
【００１５】  本発明の携帯情報端末機携行保持具によれば、腕時計のように簡単に手首に保持することができることによって作業中であっても両手が使える状態になるので、画面を見ながら容易に操作することができる優れた効果を奏する。【００１６】  また、本発明の携帯情報端末機携行保持具によれば、ポケットやカバンからの出し入れを必要としないため、置忘れや紛失の心配がない優れた効果を奏する。【００１７】  また、本発明の携帯情報端末機携行保持具によれば、人混みの中で他人と接触した時やポケットやカバンからの出し入れ時に落下した場合でも携帯情報端末機が保護カバーによって保護される優れた効果を奏する。【００１８】  また、本発明の携帯情報端末機携行保持具によれば、スライド部と回転部の組み合わせることによって携帯情報端末機を常に使い易い方向に向けたり、見易い角度に保持することができる優れた効果を奏する。【００１９】  また、本発明の携帯情報端末機携行保持具によれば、保護ケース体と固定バンドを色彩やデザインを施すことによってユーザー好みの携帯情報端末機グッズとして利用できる優れた効果を奏する。【００２０】  また、本発明の携帯情報端末機携行保持具によれば、片手にはめた状態でパソコン操作をすることによって携帯情報端末情報を効率よくパソコンに入力することができる優れた効果を奏する。【００２１】  また、本発明の携帯情報端末機携行保持具によれば、固定バンドをスタンド代わりにしてインターネットやユーチューブなどを鑑賞したりすることができる優れた効果を奏する。
【図面の簡単な説明】
【００２２】
【図１】本発明の携帯情報端末機携行保持具を示す分解斜視図を用いた説明図である。（実施例１）
【図２】本発明の携帯情報端末機携行保持具の装着状態を示す使用状態図である。
【図３】本発明の携帯情報端末機携行保持具の回転状態を示す使用状態図である。
【図４】本発明の携帯情報端末機携行保持具のスライド状態を示す使用状態図である。
【発明を実施するための形態】
【００２３】  本発明の携帯情報端末機携行保持具１０は、携帯情報端末機Ｋを収納する保護ケース体２０と、該保護ケース体２０を保持する固定バンド３０と、で構成される携帯情報端末機携行保持具１０であって、前記保護ケース体２０は、開閉ならびに着脱自在に設けられる透明板で形成される保護カバー２１と、前記固定バンド３０に回転自在に連結される回転連結部２２と、該回転連結部２２をスライドさせるスライド連結部２４と、を有して成り、前記固定バンド３０は、前記スライド連結部２４を連結するスライド受部３１を形成し、両端が互いに締め付け固定される締付け固定部３３を有して成り、前記携帯情報端末機Ｋを前記保護ケース体２０に収納した状態で回転ならびにスライドさせて使用する手段を採ったことを最大の特徴とするもので、以下、実施例を図面を基に説明する。
【００２４】  また、本発明の携帯情報端末機携行保持具１０の形状は、下記に述べる実施例に特に限定されるものでなく、本発明の技術的思想に逸脱しない範囲で任意に変更することができる。
【実施例１】
【００２５】  図１は、本発明の携帯情報端末機携行保持具１０を示す分解斜視図を用いた説明図である。
本発明の携帯情報端末機携行保持具１０は、プラスチックやポリプロピレン等の比較的軟質な合成樹脂素材で形成され、携帯情報端末機Ｋを収納する保護ケース体２０と、該保護ケース体２０を保持する固定バンド３０とで構成され、携帯情報端末機Ｋを保護ケース体２０に収納した状態で回転ならびにスライドさせて使用するものである。【００２６】  保護ケース体２０は、携帯情報端末機Ｋを着脱自在に収納し、且つ、使用時においては該携帯情報端末機Ｋを回転ならびにスライドさせて操作することができる矩形のボックス状のケース体である。【００２７】  保護カバー２１は、凹凸球状突起２３の嵌め込みによって開閉ならびに着脱自在に設けられ、携帯情報端末機Ｋの上面をカバーする透明板で形成される。携帯情報端末機Ｋの収納時ならびに落下時の外部損傷を防止する目的で設けられる。また頻繁に携帯情報端末機Ｋを操作する場合や、長時間使用する場合は保護カバー２１を取り外した状態で使用することも可能である。【００２８】  回転連結部２２は、保護ケース体２０の裏面に凹凸球状突起２３を有して回転自在に連結されるもので、固定バンド３０を腕部Ｗに装着した状態で携帯情報端末機Ｋの縦横の向きを変えることによって携帯情報端末機Ｋの操作とワンセグ時の画面の角度を自由に変えることができる。【００２９】  スライド連結部２４は、保護ケース体２０の裏面と固定バンド３０間にスライド突起爪２５を形成して設けられて、固定バンド３０の円周縁に設けられるスライド溝３２に連結されるもので、固定バンド３０を腕部Ｗに装着した状態で携帯情報端末機Ｋの縦横の装着位置を変えることによって、携帯情報端末機Ｋの操作を容易にすると共にワンセグなどの画面を見る位置を適正にセットすることができる。【００３０】  固定バンド３０は、スライド連結部２４を連結するスライド受部３１と、両端が互いに締め付け固定される締付け固定部３３を有する所謂時計バンドのような形状を持って形成される。【００３１】  スライド受部３１は、スライド連結部２４をスライドさせて連結するスライド溝３２を有し、該スライド溝３２に直交して固定バンド３０の湾曲を容易なものとする分割スリット３４が設けられている。【００３２】  締付け固定部３３は、略中央部にスライド受部３１を形成し、固定バンド３０の両端を互いに締め付け固定して腕部Ｗにはめ込む形状を有する。【００３３】  図２は、本発明の携帯情報端末機携行保持具１０の装着状態を示す使用状態図である。携帯情報端末機Ｋを携行する時は、携帯情報端末機Ｋを携帯情報端末機携行保持具１０に収納し、腕部Ｗと携帯情報端末機携行保持具１０の向きを同方向に向けて装着することができる。
また、携帯情報端末機Ｋを操作する時は、保護ケース体２０の保護カバー２１を開いた状態で、携帯情報端末機Ｋのタッチパネル部を直接タッチして操作することができる。
さらに携帯情報端末機Ｋを使用しない状態が長く続き一時期的に脱着したい時は、固定バンド３０を腕部Ｗに装着した状態で回転連結部２２またはスライド連結部２４の連結を解除して取り外すことができる。【００３４】  図３は、本発明の携帯情報端末機携行保持具１０の回転状態を示す使用状態図である。携帯情報端末機携行保持具１０を横向きにしてワンセグ画面を見る時は、保護ケース体２０の端部を持って画面を見る姿勢に合せて見易いように左右に回転させてセットすることができる。【００３５】  図４は、本発明の携帯情報端末機携行保持具１０のスライド状態を示す使用状態図である。
図３の回転させた状態から、さらに画面を見る姿勢に合せて見易いようにするために、保護ケース体２０の端部を持って上下にスライドすることによって、最適な操作角度ならびに画面を見る角度にセットすることができる。
【産業上の利用可能性】
【００３６】  本発明の携帯情報端末機携行保持具は、着信した携帯電話機を片手で持った状態から瞬時に両手が自由に使えるハンズフリーの状態にすることができることから、ビジネス、スポーツ観戦、映画鑑賞、ドライブ、趣味、ファッションなどの分野で巾広く利用することができるもので、本発明における携帯情報端末機携行保持具の産業上の利用可能性は大とするものと解する。
【符号の説明】
【００３７】１０  携帯情報端末機携行保持具
２０  保護ケース体
２１  保護カバー
２２  回転連結部
２３  凹凸球状突起
２４  スライド連結部
２５  スライド突起爪
３０  固定バンド
３１  スライド受部
３２  スライド溝
３３  締付け固定部
３４  分割スリット
Ｋ  携帯情報端末機
Ｗ  腕部
【図１】
2014023141.tif 000003
【図２】
2014023141.tif 000004
【図３】
2014023141.tif 000005
【図４】
2014023141.tif 000006